(57)【要約】  本発明は、移動式の好ましくは円形の弾薬コンテナ、バンカー又はシェルターを製造するための強化マットの使用に関する。この強化マットは、ファブリックストランドによって形成された複数の好ましくは少なくとも１０層の互いに間隔をあけて配置されたファブリック層を含む。このファブリック層は、強化マットの厚さを横切ってファブリック層のメッシュサイズ又は開口幅が変化するよう構成及び配置され、セメントモルタル又はコンクリートをファブリックに浸透させる際にふるい効果が得られ、それにより異なるサイズのコンクリート骨材粒が強化マットの厚さにわたって所定の層に実質的にそれらのサイズ順で固定されるようにしている。【特許請求の範囲】
【請求項１】
移動式の好ましくは円筒形の弾薬コンテナを製造するための強化マットの使用であって、該強化マットが、ロープから形成された複数の好ましくは少なくとも１０層の互いに間隔をあけて配置されたファブリック層（１０ａ、１０ｂ、１０ｃ）を含有し、該ファブリック層が、強化マットの厚さを横切ってファブリック層のメッシュ及び／又はホール幅が変化するよう形成及び配置され、セメントモルタル又はコンクリートを浸透させる際にスクリーニング効果が得られ、それにより異なるサイズのコンクリート骨材粒が強化マットの厚さにわたって所定の層に実質的にそれらのサイズ順で固定されるようにした、強化マットの使用。
【請求項２】
スペーサの機能を有する異なるサイズの押し広げ体がコンクリートの浸透の前に個々のファブリック層の間に配置される、請求項１に記載の強化マットの使用。
【請求項３】
ロープから形成された好ましくは最大１０層又はそれ以上の互いに間隔をあけて配置されたファブリック層を含む強化マットであって、該ファブリック層が、強化マットの厚さを横切って個々のファブリック層のメッシュ及び／又はホール幅が変化するよう形成及び配置され、セメントモルタル又はコンクリートを浸透させる際にスクリーニング効果を得るために、ファブリック層のメッシュ及び／又はホール幅がコンテナの外側から内側へ大きくなっており、それにより異なるサイズのコンクリート骨材物が強化マットの厚さにわたって所定の層に実質的にそれらのサイズ順で固定されるようにした強化マットが内側及び外側の型枠体（５）の間に配置され、セメントモルタル又はコンクリートの浸透が内側から達成されることを特徴とする、移動式の特には円筒形の弾薬コンテナを製造する方法。
【請求項４】
前記セメントモルタル又はコンクリートの浸透が、下部から生じるセメントモルタル又はコンクリート流によって少なくとも部分的に達成されることを特徴とする、請求項３に記載の方法。
【請求項５】
約０．５〜３．５ｍｍの範囲の線サイズと約５〜６０ｍｍの範囲のメッシュ幅を有する溶着された格子層の形態の複数の特には少なくとも１０層のファブリック層を含む強化材を含有することを特徴とする、コンクリートから作られた移動式の特には円筒形の弾薬コンテナ。
【請求項６】
前記弾薬コンテナが、セメントモルタル及び／又はコンクリート並びに異なるサイズのコンクリート骨材粒の浸透によって部材を形成するためにロープから形成された複数の好ましくは少なくとも１０層の互いに間隔をあけて配置されたファブリック層（１０ａ、１０ｂ、１０ｃ）を含む強化マットを含有し、該ファブリック層が、強化マットの厚さを横切ってファブリック層のメッシュ及び／又はホール幅が変化するよう形成及び配置され、セメントモルタル又はコンクリートを浸透させる際にスクリーニング効果が得られ、それにより骨材粒が部材厚さにわたって所定の層に実質的にそれらのサイズ順で固定されるようにしたことを特徴とする、請求項４に記載の弾薬コンテナ。
【請求項７】
前記スクリーニング効果が、メッシュ幅を変更すること及び／又は層において上下及び／又は並列に配置され、それぞれが同じメッシュ幅であるファブリック層をずらすことにより実現されることを特徴とする、請求項６に記載の弾薬コンテナ。
【請求項８】
単層構造を有することを特徴とする、請求項５又は６に記載の弾薬コンテナ。
【請求項９】
一方の層がコンテナ壁の内側に設けられた吸収層、好ましくはポリマーのコンクリートシェルによって形成された多層構造を有することを特徴とする、請求項５又は６に記載の弾薬コンテナ。
【請求項１０】
一方の内側にもう一方を配置しかつ互いに間隔をあけて配置された少なくとも２つの円筒形コンテナ壁（１、１’）を含む多殻構造を有することを特徴とする、請求項５に記載の弾薬コンテナ。
【請求項１１】
前記弾薬コンテナが、該コンテナ内壁の溝形のくぼみに係合する外側に突き出した円周方向の締結端を備えたドア（２）を有し、コンテナの内側に円周方向に延びるガイドレール（３）が設けられ、該ガイドレール（３）に沿ってドア（２）をスライドさせるようにして移動させることができることを特徴とする、請求項５又は６に記載の弾薬コンテナ。
【請求項１２】
コンクリート板の形態の蓋（９’）及び任意選択のベースプレート（９）を有し、それらが約０．５〜３．５ｍｍの範囲の線サイズと約５〜６０ｍｍの範囲のメッシュ幅を有する溶着された格子層の形態の複数のファブリック層を含む強化材を有し、該蓋が円筒形のコンテナ壁（１）に固定されることを特徴とする、請求項５又は６に記載の弾薬コンテナ。
【請求項１３】
円錐台の形状の蓋を有することを特徴とする、請求項５又は６に記載の弾薬コンテナ。
【請求項１４】
前記蓋が、残りの蓋の領域よりも低い強度の領域の形態において所定の破壊点を有することを特徴とする、請求項１２又は１３に記載の弾薬コンテナ。
【請求項１５】
ドア開口の領域に内側に突き出した円周方向の取付用ストリップを有し、ドアがその外側に円筒形壁の取付用ストリップの後ろで係合する円周方向の取付用ストリップを備えていることを特徴とする、請求項１１に記載の弾薬コンテナ。
【請求項１６】
ファブリックインサートのメッシュ幅が前記コンテナの外側から内側へ大きくなっていることを特徴とする、請求項６又は７に記載の弾薬コンテナ。
【請求項１７】
移動式の好ましくは円形のバンカー又はシェルターを製造するための強化マットの使用であって、該強化マットが、ロープから形成された複数の好ましくは少なくとも１０層の互いに間隔をあけて配置されたファブリック層（１０ａ、１０ｂ、１０ｃ）を含有し、該ファブリック層が、強化マットの厚さを横切ってファブリック層のメッシュ及び／又はホール幅が変化するよう形成及び配置され、セメントモルタル又はコンクリートを浸透させる際にスクリーニング効果が得られ、それにより異なるサイズのコンクリート骨材粒が強化マットの厚さにわたって所定の層に実質的にそれらのサイズ順で固定されるようにした、強化マットの使用。
【請求項１８】
スペーサの機能を有する異なるサイズの押し広げ体がコンクリートの浸透の前に個々のファブリック層の間に配置される、請求項１６に記載の強化マットの使用。
【請求項１９】
ロープから形成された好ましくは最大１０層又はそれ以上の互いに間隔をあけて配置されたファブリック層を含む強化マットであって、該ファブリック層が、セメントモルタル又はコンクリートを浸透させる際にスクリーニング効果を得るために、強化マットの厚さを横切ってファブリック層のメッシュ及び／又はホール幅がバンカーの内側から外側へ大きくなるよう形成及び配置され、それにより異なるサイズのコンクリート骨材物が強化マットの厚さにわたって所定の層に実質的にそれらのサイズ順で固定されるようにした強化マットが内側及び外側の型枠体の間に配置され、セメントモルタル又はコンクリートの浸透が外側から達成されることを特徴とする、移動式の特には円筒形のバンカー（シェルター）を製造する方法。
【請求項２０】
約０．５〜３．５ｍｍの範囲の線サイズと約５〜６０ｍｍの範囲のメッシュ幅を有する溶着された格子層の形態の複数の特には少なくとも１０層のファブリック層を含む強化材を含有することを特徴とする、コンクリートから作られた移動式の特には円形のバンカー（シェルター）。
【請求項２１】
前記バンカーが、セメントモルタル及び／又はコンクリート並びに異なるサイズのコンクリート骨材粒の浸透によって部材を形成するためにロープから形成された複数の好ましくは少なくとも１０層の互いに間隔をあけて配置されたファブリック層（１０ａ、１０ｂ、１０ｃ）を含む強化マットを含有し、該ファブリック層が、強化マットの厚さを横切ってファブリック層のメッシュ及び／又はホール幅が変化するよう形成及び配置され、セメントモルタル又はコンクリートを浸透させる際にスクリーニング効果が得られ、それにより骨材粒が部材厚さにわたって所定の層に実質的にそれらのサイズ順で固定されるようにしたことを特徴とする、請求項２０に記載のバンカー。
【請求項２２】
前記スクリーニング効果が、メッシュ幅を変更すること及び／又は層において上下及び／又は並列に配置され、それぞれが同じメッシュ幅であるファブリック層をずらすことにより実現されることを特徴とする、請求項２１に記載のバンカー。
【請求項２３】
単層構造を有することを特徴とする、請求項２０又は２１に記載のバンカー。
【請求項２４】
一方の層がバンカー壁の外側に設けられた吸収層、好ましくはポリマーのコンクリートシェルによって形成された多層構造を有することを特徴とする、請求項２０又は２１に記載のバンカー。
【請求項２５】
一方の内側にもう一方を配置しかつ互いに間隔をあけて配置された少なくとも２つの円筒形コンテナ壁（１、１’）を含む多殻構造を有することを特徴とする、請求項２０に記載のバンカー。
【請求項２６】
成形されたコンクリート部品の形態の蓋（９’）及び任意選択のベースプレート（９）を有し、それらが０．５〜３．５ｍｍの範囲の線サイズと約５０〜６０ｍｍの範囲のメッシュ幅を有する溶着された格子層の形態の複数のファブリックインサートを含む強化材を有し、該蓋が円筒形のバンカー壁（１）に固定されることを特徴とする、請求項２０又は２１に記載のコンテナ。
【請求項２７】
アーチ形の蓋を有することを特徴とする、請求項２０又は２１に記載のバンカー。
【請求項２８】
前記ファブリックインサートのメッシュ幅が前記バンカーの内側から外側へ大きくなっていることを特徴とする、請求項２１又は２２に記載のバンカー。
【請求項２９】
前記セメントモルタル又はコンクリートの浸透が、下部から生じるセメントモルタル又はコンクリート流によって少なくとも部分的に達成されることを特徴とする、請求項１９に記載の方法。
【発明の詳細な説明】
【背景技術】
【０００１】
爆発防護を目的として、移動式の弾薬コンテナは、一般に金属又は金属合金、しかし特には鋼から作られている。
【０００２】
コンクリートから作られた固定式の弾薬庫が国際公開第９９／４２６７８号パンフレットにより公知である。
【０００３】
鋼のコンテナは、内圧による静的負荷にさらされて破裂すると、結果として数個の大きな断片になる。コンテナは、最も弱い箇所、たいていは溶接線に沿って割れる。しかしながら、コンテナは、その内部の爆発物の爆発によって高い動的負荷にさらされると、多数の小片に砕ける。同様の現象はコンクリートの場合にも見受けられる。爆発の圧力下における鉄筋コンクリート及びプレストレスト・コンクリートから作られた部材の典型的な挙動は部材の破砕であり、それは部材の厚さには関係ない。爆風に加えてこの破砕は実質的な潜在的危険を表している。砕けたコンクリート断片は、放たれる爆風によりその周囲領域において擬似的な破砕弾になる。
【発明の開示】
【発明が解決しようとする課題】
【０００４】
本発明の根本的な目的は、コンテナ内部の爆発物が爆発した場合に効果的な保護を提供するコンクリートから作られた比較的薄肉の移動式弾薬コンテナを提供することである。
【０００５】
本発明のさらなる根本的な目的は、外壁に作用する衝撃又は爆発から生じる力に対する効果的な保護を提供する比較的薄肉の移動式バンカー又はシェルターを提供することである。
【課題を解決するための手段】
【０００６】
驚いたことに、特に好適な弾薬コンテナ及び／又はバンカー又はシェルターは、国際公開第０１／２３６８５号パンフレットに記載されている強化マットをそれらの製造のために使用することで製造できることが明らかとなった。この強化マットは、ロープから形成された少なくとも１０層の互いに間隔をあけて配置されたファブリック層を有し、このファブリック層は、強化マットの厚さを横切ってファブリック層のメッシュ及び／又はホール幅が変化するよう形成及び配置され、セメントモルタル又はコンクリートを浸透させる際にスクリーニング効果が得られ、それにより異なるサイズのコンクリート骨材粒が部材厚さにわたって所定の層に実質的にそれらのサイズ順で固定されるようにしている。
【０００７】
さらなる本発明に従ったコンクリートから作られた弾薬コンテナ及び／又はバンカー又はシェルターを製造するためには、強化マットを使用することが有利であり、この強化マットにおいては、ファブリック層の隣接する層間に押し広げ体が意図的に配置され、この押し広げ体は、特に個々のファブリック層が結束部材によってそれらの平面に対して垂直に互いに結合された場合には、剛性を調整することに加えてスペーサの機能も有する。
【０００８】
移動式の弾薬コンテナを製造するためのこのような強化マットの本発明に従った使用により、ファブリック層のメッシュ幅がコンテナの外側から内側へ大きくなるようファブリック層が配置された場合に爆発防護が有意に向上する。このように、スクリーニング効果によってコンクリート骨材及び／又はコンクリート骨材粒のフィルタリングが行われ、結果として内壁領域により大きな骨材粒が配置され、外壁領域により小さな骨材粒が配置される。内壁側に大きな骨材粒が配置することで、生じる任意の圧縮力に対する抵抗性が向上し、この作用は、爆発の際に、最も高い圧縮力がコンテナの内側で有効である円筒形の弾薬コンテナに関して特にプラスの影響を有する。
【０００９】
バンカー及び／又はシェルターを製造する場合には、それらは衝撃又は爆発から生じる力によって外側から作用されるため、ファブリック層のメッシュ幅は内側から外側へ大きくするべきである。
【００１０】
スクリーニング効果は、メッシュ幅を変更すること及び／又は層において上下及び／又は並列に配置され、それぞれが同じメッシュ幅であるファブリック層を意図的にずらすことにより実現される。壁構造は、単層、多層又は多殻であることができる。
【００１１】
コンクリートから作られた移動式の特には円筒形の弾薬コンテナ及び／又はバンカー又はシェルターは、０．５〜３．５ｍｍの線サイズと約５〜６０ｍｍの範囲のホール及び／又はメッシュ幅を有する溶着された格子層の形態の複数のファブリック層を含む強化材を含有することを特徴としている。このような強化材はまた、ミクロ強化材として記載される場合もある。
【００１２】
したがって、ミクロ強化の丈夫なコンクリートは、約４０ｍｍの最小壁厚さを有する比較的薄肉のコンテナ及び／又はバンカー又はシェルターを製造するのに使用され、移動式の弾薬又は爆発物用コンテナ及び／又はバンカー又はシェルターとして使用することができる。
【００１３】
さらなる本発明によれば、コンテナ及び／又はバンカー又はシェルターは、一体的に、即ち、継ぎ目なしに鋳造することができるか又は円筒形セグメントから製造することができ、これは手作業の輸送及び／又は組み立てのために部品をより軽くするという利点を有する。
【００１４】
コンテナ及び／又はバンカー又はシェルターは、好ましくは残りの部分の壁と同じ構造であるスライディングドアとして設計されたコンクリート部品を備えている。本発明によれば、ドアによって形成される部分、例えば、円弧部分は、爆発の際、ドアのブレーシング（bracing）がコンテナの内壁及び／又はバンカーの外壁にドアを押し付ける力によって達成されるよう実際のドアの開口よりも大きい。
【００１５】
弾薬コンテナは、好ましくはコンテナの円筒部と実質的に同じ強化マット構造である蓋を備えている。コンテナに対する蓋の固定は、爆発の際、蓋が折りたたまれて開き、それにより実際的に所定の破壊点を形成するように作られるべきである。
【００１６】
さらなる変形態様は圧力逃がし開口を備えた蓋であり、この蓋はコンテナに対してしっかりと固定される。
【００１７】
コンテナの上部は、選択的には円錐台の形状を有することができる。
【００１８】
本発明による弾薬コンテナは、図面を参照して以下に詳細に説明される。バンカー又はシェルターの場合には適切に変更された構造が適用される。
【発明を実施するための最良の形態】
【００１９】
図１に図式的に示される弾薬コンテナ１は、例えば、高さｈ＝２．６ｍ、外径Ｄout＝２００ｃｍ及び内径Ｄin＝１９０ｃｍである。しかしながら、あるいはまた、コンテナは最小５０ｃｍのより小さい内径を有することができる。
【００２０】
円筒形の壁は、０．５〜３．５ｍｍの線サイズと５〜６０ｍｍのメッシュ幅を有する溶着された格子層の形態の複数のファブリック層を含む強化材を有する。
【００２１】
断面図２ａによれば、コンテナ内壁の対応する溝形のくぼみに係合する外側に突き出した締結端をその丸い円周に有するドア２が設けられている。ガイドレール３がコンテナの内側に設けられ、このガイドレール３に沿ってドア２を、それが図示されない好適なガイドに沿って内側に押された場合にスライドさせるようにして移動させることができる。
【００２２】
図３はドア領域の外側のコンテナ壁を示している。
【００２３】
図４は、コンテナの蓋の領域とコンテナのベースプレートの領域における断面図を示し、これらは締結部材４によって円筒形のコンテナ壁に固定されている。ベースプレートと蓋は、円筒形のコンテナ壁と同じ構造であることが好ましい。しかしながら、ベースプレートを省くことも可能である。
【００２４】
図５は単殻のコンテナ壁１の概略図であり、図５ｂはコンテナ壁１の内側に設けられた吸収層、例えば、ポリマーのコンクリートシェル７を備えた多層壁構造を示し、図５ｃは一方の内側にもう一方を配置しかつ互いに間隔をあけて配置した２つの円筒形コンテナ壁１、１’を含む多殻構造を示している。
【００２５】
図６ａ及び図６ｂは、それぞれ垂直断面及び水平断面を示し、これらの断面から、図９ａ〜９ｃに示され、複数のファブリック層を含む強化マットであって、そのホール及び／又はメッシュ幅がコンテナの内側から外側へ小さくなる強化マットに使用された場合、異なるサイズのコンクリート骨材粒の配置を確認することができる。
【００２６】
図７は、２つの型枠体５の間で達成されるセメントモルタル及び／又はコンクリートの濾過作用の下からの図である。ここで、コンクリートの浸透は、内側から外側へ小さくなるファブリック層のメッシュ幅を有する強化マットが用いられる場合には内側から達成されることになり、一方で、コンクリートの浸透は、等しいサイズのメッシュ幅を有するファブリック層が用いられる場合には外側から生じることができる。
【００２７】
図８ａは、エッジストリップを備えたドア２の領域の水平断面を示し、このエッジストリップは、ドアが閉められるとコンテナの内側で対応するくぼみに係合する。図８ｂは、コンテナ開口の領域に内側に突き出した円周方向の取付用ストリップが形成され、一方で、ドア２がその外側に円筒形壁の取付用ストリップの後ろで係合する円周方向の取付用ストリップを備えているドア構成のある形態を示している。
【００２８】
図９ｂは、複数のファブリック層１０、即ち、幅広メッシュのファブリック層１０ａ、中間のメッシュ幅を有するファブリック層１０ｂ、及び微細メッシュのファブリック層１０ｃを含む強化マットの分解図を示している。図９ａは、ファブリック層の間に組み入れられ、同時にスペーサの機能を有する押し広げ体１１を示し、ここで、強化マットの一方の側からもう一方の側へメッシュ幅が小さくなっている。図９ｃは、個々のファブリック層がファブリック層の平面に対して垂直に互いに結合された強化マットの概略図である。
【００２９】
コンテナ、バンカー及びシェルターの幾何学的形状は、円筒形、即ち、円形には限定されず、むしろ、様々な断面のコンテナ、バンカー及びシェルターを継ぎ目なしに鋳造することができるか及び／又は製造することができる。
【図面の簡単な説明】
【００３０】
【図１】弾薬コンテナの側面図を示す。
【図２ａ】ドア領域における図１の線分Ａ−Ａに従った断面図を示す。
【図２ｂ】ドア領域における図１の線分Ａ−Ａに従った断面図を示す。
【図３】図１の線分Ｂ−Ｂに従った断面図を示す。
【図４】図１の線分Ｃ−Ｃに従った断面図を示す。
【図５ａ】単殻コンテナの断面図を示す。
【図５ｂ】多層コンテナの断面図を示す。
【図５ｃ】多殻コンテナの断面図を示す。
【図６ａ】スクリーニング効果を発揮する強化マットの本発明に従った使用のために、コンテナ内壁の領域のより大きなコンクリート骨材粒の配置と、コンテナ外側の方向においてサイズが減少するコンクリート骨材粒の配置を示す。
【図６ｂ】スクリーニング効果を発揮する強化マットの本発明に従った使用のために、コンテナ内壁の領域のより大きなコンクリート骨材粒の配置と、コンテナ外側の方向においてサイズが減少するコンクリート骨材粒の配置を示す。
【図７】コンテナを製造する際のセメントモルタル又はコンクリートの浸透の概略図を示す。
【図８ａ】コンテナの内側にドアのブレーシングを実装する形態を示す。
【図８ｂ】コンテナの内側にドアのブレーシングを実装する形態を示す。
【図９ａ】選択的に用いられる強化マットの図を示す。
【図９ｂ】選択的に用いられる強化マットの図を示す。
【図９ｃ】選択的に用いられる強化マットの図を示す。
【図１】
2007511726.tif 000002
【図２ａ】
2007511726.tif 000003
【図２ｂ】
2007511726.tif 000004
【図３】
2007511726.tif 000005
【図４】
2007511726.tif 000006
【図５ａ】
2007511726.tif 000007
【図５ｂ】
2007511726.tif 000008
【図５ｃ】
2007511726.tif 000009
【図６ａ】
2007511726.tif 000010
【図６ｂ】
2007511726.tif 000011
【図７】
2007511726.tif 000012
【図８ａ】
2007511726.tif 000013
【図８ｂ】
2007511726.tif 000014
【図９ａ】
2007511726.tif 000015
【図９ｂ】
2007511726.tif 000016
【図９ｃ】
2007511726.tif 000017